【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
トランジスタと、
電流源と、
前記トランジスタのドレインと前記電流源とを電気的に接続する配線と、
前記トランジスタのゲート電位を保持する容量素子と、
前記配線の電位が、設定された範囲を超えたとき、前記配線の電位を前記設定された範囲内の電位にする手段と、を有することを特徴とする半導体装置。
【請求項２】
トランジスタと、
電流源と、
前記トランジスタのソースと前記電流源とを電気的に接続する配線と、
前記トランジスタのゲートソース間電圧を保持する容量素子と、
前記配線の電位が、設定された範囲を超えたとき、前記配線の電位を前記設定された範囲内の電位にする手段と、を有することを特徴とする半導体装置。
【請求項３】
トランジスタと、
電流源と、
前記トランジスタのドレインと前記電流源とを電気的に接続する配線と、
前記配線に一方の端子が電気的に接続され、他方の端子が第１の電源線に電気的に接続されている第１の整流素子と、
前記配線に一方の端子が電気的に接続され、他方の端子が第２の電源線に電気的に接続されている第２の整流素子と、
一方の端子が前記トランジスタのゲートに電気的に接続され、他方の端子が第３の電源線に電気的に接続されている容量素子と、
前記トランジスタのゲートとドレインとの間に電気的に接続されているスイッチと、
を有し、
前記配線の電位が、設定された範囲を超えたとき、前記配線の電位が前記設定された範囲内の電位になるまで前記第１の整流素子又は前記第２の整流素子に電流が流れることを特徴とする半導体装置。
【請求項４】
請求項３において、前記第１の電源線の電位は前記第２の電源線の電位よりも高いことを特徴とする半導体装置。
【請求項５】
請求項３又は請求項４において、前記設定された範囲は、前記第２の電源線の電位から前記第１の電源線の電位までの範囲であることを特徴とする半導体装置。
【請求項６】
トランジスタと、電流源と、配線と、容量素子と、スイッチと、第１の整流素子と、第２の整流素子と、を有し、
前記電流源と前記トランジスタのドレインとは、前記配線を介して電気的に接続され、
前記トランジスタのゲートは、前記容量素子の一方の電極に電気的に接続され、
前記トランジスタのゲートとドレインとは、前記スイッチを介して電気的に接続され、
前記第１の整流素子は、一方の端子が第１の電源線に電気的に接続され、他方の端子が前記配線に電気的に接続され、
前記第２の整流素子は、一方の端子が第２の電源線に電気的に接続され、他方の端子が前記配線に電気的に接続され、
前記第１の整流素子の順方向電流は、前記第１の電源線から前記配線へ流れる向きであり、
前記第２の整流素子の順方向電流は、前記配線から前記第２の電源線へ流れる向きであることを特徴とする半導体装置。
【請求項７】
Ｎチャネル型トランジスタと、電流源と、配線と、容量素子と、スイッチと、整流素子と、を有し、
前記電流源と前記Ｎチャネル型トランジスタのドレインとは、前記配線を介して電気的に接続され、
前記トランジスタのゲートは、前記容量素子の一方の電極に電気的に接続され、
前記トランジスタのゲートとドレインとは、前記スイッチを介して電気的に接続され、
前記整流素子は、一方の端子が前記電源線に電気的に接続され、他方の端子が前記配線に電気的に接続され、
前記整流素子の順方向電流は、前記電源線から前記配線へ流れる向きであることを特徴とする半導体装置。
【請求項８】
Ｐチャネル型トランジスタと、電流源と、配線と、容量素子と、スイッチと、整流素子と、を有し、
前記電流源と前記Ｐチャネル型トランジスタのドレインとは、前記配線を介して電気的に接続され、
前記トランジスタのゲートは、前記容量素子の一方の電極に電気的に接続され、
前記トランジスタのゲートとドレインとは、前記スイッチを介して電気的に接続され、
前記整流素子は、一方の端子が電源線に電気的に接続され、他方の端子が前記配線に電気的に接続され、
前記整流素子の順方向電流は、前記配線から前記電源線へ流れる向きであることを特徴とする半導体装置。
【請求項９】
請求項７又は請求項８において、前記整流素子はダイオード接続したトランジスタであることを特徴とする半導体装置。
【請求項１０】
行方向に設けられた画素を選択する第１の配線と、
列方向に設けられた第２の配線と、
前記第１の配線と前記第２の配線とに対応して配置された画素とを有し、
前記第２の配線には、信号電流が入力され、
前記第２の配線には、整流素子が電気的に接続されていることを特徴とする表示装置。
【請求項１１】
行方向に設けられた画素を選択する第１の配線と、
列方向に設けられた第２の配線と、
前記第１の配線と前記第２の配線とに対応して配置された画素とを有し、
前記第２の配線には、信号電流が入力され、
前記第２の配線には、前記第２の配線の電位が、設定された範囲を超えたとき、前記第２の配線の電位を前記設定された範囲内の電位に戻すように電流が流れる整流素子が電気的に接続されていることを特徴とする表示装置。
【請求項１２】
行方向に設けられた画素を選択する第１の配線と、
列方向に設けられた第２の配線と、
前記第１の配線と前記第２の配線とに対応して配置された画素とを有し、
前記第２の配線には、信号電流が入力され、
前記画素は、前記信号電流が供給される電流源回路を有し、
前記第２の配線には、前記第２の配線の電位が、設定された範囲を超えたとき、前記第２の配線の電位を前記設定された範囲内の電位に戻すように電流が流れる整流素子が電気的に接続されていることを特徴とする表示装置。
【請求項１３】
複数のゲート線と複数のソース信号線とに対応してマトリクスに配置された複数の画素を有し、前記複数のソース信号線のそれぞれには信号電流が入力され、
前記複数のソース信号線のそれぞれには、整流素子が電気的に接続されていることを特徴とする表示装置。
【請求項１４】
ゲート線とソース信号線とに対応して配置された画素を有し、前記ソース信号線には信号電流が入力され、
前記ソース信号線には、前記ソース信号線の電位が、設定された範囲を超えたとき、前記ソース信号線の電位を前記設定された範囲内の電位に戻すように電流が流れる整流素子が電気的に接続されていることを特徴とする表示装置。
【請求項１５】
ゲート線とソース信号線とに対応して配置された画素を有し、前記ソース信号線には信号電流が入力され、
前記画素は、前記信号電流が供給される電流源回路を有し、
前記ソース信号線には、前記ソース信号線の電位が、設定された範囲を超えたとき、前記ソース信号線の電位を前記設定された範囲内の電位に戻すように電流が流れる整流素子が電気的に接続されていることを特徴とする表示装置。
【請求項１６】
ゲート線とソース信号線とに対応して配置された画素と、
信号線駆動回路と、を有し、
前記信号線駆動回路は、電流源と、電流源回路と、前記電流源と前記電流源回路とを電気的に接続する配線と、を有し、
前記配線には、整流素子が電気的に接続されていることを特徴とする表示装置。
【請求項１７】
ゲート線とソース信号線とに対応して配置された画素と、
信号線駆動回路と、を有し、
前記信号線駆動回路は、電流源と、電流源回路と、前記電流源と前記電流源回路とを電気的に接続する配線と、を有し、
前記電流源回路は、前記ソース信号線と電気的に接続され、
前記配線には、整流素子が電気的に接続されていることを特徴とする表示装置。
【請求項１８】
請求項１０乃至請求項１７のいずれか一項において、前記整流素子はダイオード接続したトランジスタであることを特徴とする表示装置。
【請求項１９】
請求項１０乃至請求項１８に記載の表示装置と、操作キーまたはスピーカーとを有することを特徴とする電子機器。